(57)【要約】  ＰＬＭＮ情報を復号するための方法は、複数のセルについてのＰＬＭＮ情報を含むメッセージを受信することと、少なくとも１つのセルを含むセルの第１のグループについてのメッセージからＰＬＭＮ情報を判定することとを含み、セルの第１のグループのうちの各セルは、第１のコアネットワークタイプと関連している。本方法はさらに、少なくとも１つのセルを含むセルの第２のグループについてのメッセージからＰＬＭＮ情報を判定することを含み、セルの第２のグループのうちの各セルは第２のコアネットワークタイプと関連している。少なくとも１つのセルは、セルの第１のグループ及びセルの第２のグループの一部である。セルの第１のグループ及びセルの第２のグループのうちの少なくとも１つのセルについてのＰＬＭＮ情報は、１度だけ提供される。【選択図】図３
2020535728.tif 000002
【特許請求の範囲】
【請求項１】
公衆陸上移動体ネットワーク（ＰＬＭＮ：ｐｕｂｌｉｃ  ｌａｎｄ  ｍｏｂｉｌｅ  ｎｅｔｗｏｒｋ）情報を復号するためのワイヤレスデバイスによって実行される方法であって、
複数のセルについてのＰＬＭＮ情報を含むメッセージを受信すること（３１２）と、
セルの第１のグループが少なくとも１つのセルを含み、前記セルの第１のグループのうちの各セルが、第１のコアネットワークタイプと関連している、前記セルの第１のグループについての前記メッセージからＰＬＭＮ情報を判定すること（３１４）と、
セルの第２のグループが少なくとも１つのセルを含み、前記セルの第２のグループのうちの各セルは、第２のコアネットワークタイプと関連している、前記セルの第２のグループについての前記メッセージからＰＬＭＮ情報を判定すること（３１６）と
を含み、少なくとも１つのセルは、前記セルの第１のグループ及び前記セルの第２のグループの一部であり、前記セルの第１のグループ及び前記セルの第２のグループのうちの前記少なくとも１つのセルについての前記ＰＬＭＮ情報が、１度だけ提供される、方法。
【請求項２】
前記メッセージの前記ＰＬＭＮ情報が、前記セルの第１のグループと関連する第１のリストと前記セルの第２のグループと関連する第２のリストとを含む、請求項１に記載の方法。
【請求項３】
前記セルの第１のグループ及び前記セルの第２のグループの一部である前記少なくとも１つのセルについてのＰＬＭＮ情報を判定することが、ビットマップを前記セルの第１のグループのうちの前記セルに適用することを含み、前記ビットマップの各ビットが、前記セルの第１のグループ内のセルに対応し、前記ビットマップが、前記セルの第２のグループ内にもある前記セルの第１のグループのうちの各セルを識別し、前記第２のコアネットワークタイプに関する前記少なくとも１つのセルについての前記ＰＬＭＮ情報が、前記第１のコアネットワークタイプに関する対応するセルについての前記ＰＬＭＮ情報に基づく、請求項１又は２に記載の方法。
【請求項４】
前記セルの第２のグループについてのＰＬＭＮ情報を判定することが、前記セルの第１のグループとも関連している前記セルの第２のグループのうちの各セルについて、前記セルの第１のグループにおける前記ＰＬＭＮ情報への参照を辿ることを含む、請求項１又は２に記載の方法。
【請求項５】
前記メッセージが、前記セルの第１のグループ内のセルごとのｃｅｌｌＲｅｓｅｒｖｅｄＦｏｒＯｐｅｒａｔｏｒＵｓｅフィールドが前記セルの第２のグループ内の対応するセルについて有効であるかどうかを示すフラグを含む、請求項１から４のいずれか一項に記載の方法。
【請求項６】
前記セルの第１のグループのうちの各セルについてのＰＬＭＮ情報を含む第１のリストと前記セルの第２のグループのうちの各セルについてのＰＬＭＮ情報を含む第２のリストとを保持すること（３１８）をさらに含む、請求項１から５のいずれか一項に記載の方法。
【請求項７】
前記メッセージが、システム情報ブロックメッセージである、請求項１から６のいずれか一項に記載の方法。
【請求項８】
前記メッセージが、無線リソースコントロール（ＲＲＣ：ｒａｄｉｏ  ｒｅｓｏｕｒｃｅ  ｃｏｎｔｒｏｌ）メッセージである、請求項１から６のいずれか一項に記載の方法。
【請求項９】
公衆陸上移動体ネットワーク（ＰＬＭＮ：ｐｕｂｌｉｃ  ｌａｎｄ  ｍｏｂｉｌｅ  ｎｅｔｗｏｒｋ）情報を復号するように動作可能なワイヤレスデバイス（１１０）であって、
複数のセルについてのＰＬＭＮ情報を含むメッセージを受信することと、
セルの第１のグループが少なくとも１つのセルを含み、前記セルの第１のグループのうちの各セルは、第１のコアネットワークタイプと関連している、前記セルの第１のグループについての前記メッセージからＰＬＭＮ情報を判定することと、
セルの第２のグループが少なくとも１つのセルを含み、前記セルの第２のグループのうちの各セルは、第２のコアネットワークタイプと関連している、前記セルの第２のグループについての前記メッセージからＰＬＭＮ情報を判定することと
を行うように動作可能な処理回路（１２０）
を備え、少なくとも１つのセルは、前記セルの第１のグループ及び前記セルの第２のグループの一部であり、前記セルの第１のグループ及び前記セルの第２のグループのうちの前記少なくとも１つのセルについての前記ＰＬＭＮ情報が、１度だけ提供される、ワイヤレスデバイス。
【請求項１０】
前記メッセージの前記ＰＬＭＮ情報が、前記セルの第１のグループと関連する第１のリストと前記セルの第２のグループと関連する第２のリストとを含む、請求項９に記載のワイヤレスデバイス。
【請求項１１】
前記処理回路が、ビットマップを前記セルの第１のグループのうちの前記セルに適用することによって前記セルの第１のグループ及び前記セルの第２のグループの一部である前記少なくとも１つのセルについてのＰＬＭＮ情報を判定するように動作可能であり、前記ビットマップの各ビットが、前記セルの第１のグループ内のセルに対応し、前記ビットマップが、前記セルの第２のグループ内にもある前記セルの第１のグループのうちの各セルを識別し、前記第２のコアネットワークタイプに関する前記少なくとも１つのセルについての前記ＰＬＭＮ情報が、前記第１のコアネットワークタイプに関する対応するセルについての前記ＰＬＭＮ情報に基づく、請求項９又は１０に記載のワイヤレスデバイス。
【請求項１２】
前記処理回路が、前記セルの第１のグループとも関連している前記セルの第２のグループのうちの各セルについて、前記セルの第１のグループにおける前記ＰＬＭＮ情報への参照を辿ることによって前記セルの第２のグループについてのＰＬＭＮ情報を判定するように動作可能である、請求項９から１１のいずれか一項に記載のワイヤレスデバイス。
【請求項１３】
前記メッセージが、前記セルの第１のグループ内のセルごとのｃｅｌｌＲｅｓｅｒｖｅｄＦｏｒＯｐｅｒａｔｏｒＵｓｅフィールドが前記セルの第２のグループ内の対応するセルについて有効であるかどうかを示すフラグを含む、請求項９から１２のいずれか一項に記載のワイヤレスデバイス。
【請求項１４】
前記処理回路がさらに、前記セルの第１のグループのうちの各セルについてのＰＬＭＮ情報を含む第１のリストと前記セルの第２のグループのうちの各セルについてのＰＬＭＮ情報を含む第２のリストとを保持するように動作可能である、請求項９から１３のいずれか一項に記載のワイヤレスデバイス。
【請求項１５】
前記メッセージが、システム情報ブロックメッセージである、請求項９から１４のいずれか一項に記載のワイヤレスデバイス。
【請求項１６】
前記メッセージが、無線リソースコントロール（ＲＲＣ：ｒａｄｉｏ  ｒｅｓｏｕｒｃｅ  ｃｏｎｔｒｏｌ）メッセージである、請求項８から１４のいずれか一項に記載のワイヤレスデバイス。
【請求項１７】
公衆陸上移動体ネットワーク（ＰＬＭＮ：ｐｕｂｌｉｃ  ｌａｎｄ  ｍｏｂｉｌｅ  ｎｅｔｗｏｒｋ）情報を符号化するためのネットワークノードにおける方法であって、
複数のセルのうちの各セルと関連するコアネットワークタイプを判定すること（４１２）と、
複数のコアネットワークタイプと関連する少なくとも１つのセルを識別すること（４１４）と、
ワイヤレスデバイスにメッセージを送信すること（４２０）であって、前記メッセージが、第１のコアネットワークタイプと関連する各セル及び第２のコアネットワークタイプのみと関連する各セルについてのＰＬＭＮ情報を含み、複数のコアネットワークタイプと関連する前記少なくとも１つのセルのための前記第２のコアネットワークタイプに関する前記ＰＬＭＮ情報が、前記第１のコアネットワークタイプに関する前記少なくとも１つのセルと関連する前記ＰＬＭＮ情報から導出され得る、メッセージを送信すること（４２０）と
を含む、方法。
【請求項１８】
前記メッセージの前記ＰＬＭＮ情報が、前記第１のコアネットワークタイプと関連するセルの第１のリストと前記第２のコアネットワークタイプと関連するセルの第２のリストとを含む、請求項１７に記載の方法。
【請求項１９】
前記第１のコアネットワークタイプと関連するどのセルが前記第２のコアネットワークタイプとも関連するかを示すビットマップを生成すること（４１６）をさらに含む、請求項１７又は１８に記載の方法。
【請求項２０】
前記第１のメッセージが、前記ビットマップを含む、請求項１９に記載の方法。
【請求項２１】
複数のコアネットワークタイプと関連する前記少なくとも１つのセルのそれぞれについて、前記第１のコアネットワークタイプに関する前記少なくとも１つのセルについての前記ＰＬＭＮ情報に基づいて前記第２のコアネットワークタイプに関する前記少なくとも１つのセルについての前記ＰＬＭＮ情報を判定するための参照を生成すること（４１８）をさらに含む、請求項１７又は１８に記載の方法。
【請求項２２】
前記メッセージが、前記セルの第１のグループ内のセルごとのｃｅｌｌＲｅｓｅｒｖｅｄＦｏｒＯｐｅｒａｔｏｒＵｓｅフィールドが前記セルの第２のグループ内の対応するセルについて有効であるかどうかを示すフラグを含む、請求項１７から２１のいずれか一項に記載の方法。
【請求項２３】
前記メッセージが、システム情報ブロックメッセージである、請求項１７から２２のいずれか一項に記載の方法。
【請求項２４】
前記メッセージが、無線リソースコントロール（ＲＲＣ：ｒａｄｉｏ  ｒｅｓｏｕｒｃｅ  ｃｏｎｔｒｏｌ）メッセージである、請求項１７から２２のいずれか一項に記載の方法。
【請求項２５】
公衆陸上移動体ネットワーク（ＰＬＭＮ：ｐｕｂｌｉｃ  ｌａｎｄ  ｍｏｂｉｌｅ  ｎｅｔｗｏｒｋ）情報を符号化するように動作可能なネットワークノード（１６０）であって、
複数のセルのうちの各セルと関連するコアネットワークタイプを判定することと、
複数のコアネットワークタイプと関連する少なくとも１つのセルを識別することと、
ワイヤレスデバイスにメッセージを送信することであって、前記メッセージが、第１のコアネットワークタイプと関連する各セル及び第２のコアネットワークタイプのみと関連する各セルについてのＰＬＭＮ情報を含み、複数のコアネットワークタイプと関連する前記少なくとも１つのセルについての前記第２のコアネットワークタイプに関する前記ＰＬＭＮ情報が、前記第１のコアネットワークタイプに関する前記少なくとも１つのセルと関連する前記ＰＬＭＮ情報から導出され得る、メッセージを送信することと
を行うように動作可能な処理回路（１７０）を備えた、ネットワークノード。
【請求項２６】
前記メッセージの前記ＰＬＭＮ情報が、前記第１のコアネットワークタイプと関連するセルの第１のリストと前記第２のコアネットワークタイプと関連するセルの第２のリストとを含む、請求項２５に記載のネットワークノード。
【請求項２７】
前記処理回路がさらに、前記第１のコアネットワークタイプと関連するどのセルが前記第２のコアネットワークタイプとも関連するかを示すビットマップを生成するように動作可能である、請求項２５又は２６に記載のネットワークノード。
【請求項２８】
前記第１のメッセージが、前記ビットマップを含む、請求項２７に記載のネットワークノード。
【請求項２９】
前記処理回路がさらに、複数のコアネットワークタイプと関連する前記少なくとも１つのセルのそれぞれについて、前記第１のコアネットワークタイプに関する前記少なくとも１つのセルについての前記ＰＬＭＮ情報に基づいて前記第２のコアネットワークタイプに関する前記少なくとも１つのセルについての前記ＰＬＭＮ情報を判定するための参照を生成するように動作可能である、請求項２５又は２６に記載のネットワークノード。
【請求項３０】
前記メッセージが、前記セルの第１のグループ内のセルごとのｃｅｌｌＲｅｓｅｒｖｅｄＦｏｒＯｐｅｒａｔｏｒＵｓｅフィールドが前記セルの第２のグループ内の対応するセルについて有効であるかどうかを示すフラグを含む、請求項２５から２９のいずれか一項に記載のネットワークノード。
【請求項３１】
前記メッセージが、システム情報ブロックメッセージである、請求項２５から３０のいずれか一項に記載のネットワークノード。
【請求項３２】
前記メッセージが、無線リソースコントロール（ＲＲＣ：ｒａｄｉｏ  ｒｅｓｏｕｒｃｅ  ｃｏｎｔｒｏｌ）メッセージである、請求項２５から３０のいずれか一項に記載のネットワークノード。
【請求項３３】
公衆陸上移動体ネットワーク（ＰＬＭＮ：ｐｕｂｌｉｃ  ｌａｎｄ  ｍｏｂｉｌｅ  ｎｅｔｗｏｒｋ）情報を復号するように動作可能なワイヤレスデバイス（１１０）であって、受信ユニット（１６０２）及び判定ユニット（１６０６）を備え、
前記受信ユニットが、複数のセルについてのＰＬＭＮ情報を含むメッセージを受信するように動作可能であり、
前記判定ユニットが、
セルの第１のグループが少なくとも１つのセルを含み、前記セルの第１のグループのうちの各セルが第１のコアネットワークタイプと関連している、前記セルの第１のグループについての前記メッセージからＰＬＭＮ情報を判定することと、
セルの第２のグループが少なくとも１つのセルを含み、前記セルの第２のグループのうちの各セルが第２のコアネットワークタイプと関連している、前記セルの第２のグループについての前記メッセージからＰＬＭＮ情報を判定することと、
を行うように動作可能であり、少なくとも１つのセルは、前記セルの第１のグループ及び前記セルの第２のグループの一部であり、前記セルの第１のグループ及び前記セルの第２のグループのうちの前記少なくとも１つのセルについての前記ＰＬＭＮ情報が、１度だけ提供される、ワイヤレスデバイス（１１０）。
【請求項３４】
公衆陸上移動体ネットワーク（ＰＬＭＮ）情報を符号化するように動作可能なネットワークノード（１６０）であって、判定ユニット（１７１２）、識別ユニット（１７１４）、及び送信ユニット（１７１６）を備え、
前記判定ユニットが、複数のセルのうちの各セルと関連するコアネットワークタイプを判定するように動作可能であり、
前記識別ユニットが、複数のコアネットワークタイプと関連する少なくとも１つのセルを識別するように動作可能であり、
前記送信ユニットが、メッセージをワイヤレスデバイスに送信するように動作可能であり、前記メッセージが、第１のコアネットワークタイプと関連する各セル及び第２のコアネットワークタイプのみと関連する各セルについてのＰＬＭＮ情報を含み、複数のコアネットワークタイプと関連する前記少なくとも１つのセルについての前記第２のコアネットワークタイプに関する前記ＰＬＭＮ情報が、前記第１のコアネットワークタイプに関する前記少なくとも１つのセルと関連する前記ＰＬＭＮ情報から導出され得る、ネットワークノード（１６０）。
【発明の詳細な説明】
【技術分野】
【０００１】
本開示の実施形態は、ワイヤレス通信を対象とし、より詳細には、第５世代（５Ｇ：ｆｉｆｔｈ  ｇｅｎｅｒａｔｉｏｎ）コアネットワークに接続されたロングタームエボリューション（ＬＴＥ：ｌｏｎｇ  ｔｅｒｍ  ｅｖｏｌｕｔｉｏｎ）機器のための公衆陸上移動体ネットワーク（ＰＬＭＮ：ｐｕｂｌｉｃ  ｌａｎｄ  ｍｏｂｉｌｅ  ｎｅｔｗｏｒｋ）情報の効率的符号化及び復号を対象とする。
【背景技術】
【０００２】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【０００３】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）の第５世代（５Ｇ）ワイヤレスネットワークは、新しい無線アクセス（ＮＲ：ｎｅｗ  ｒａｄｉｏ  ａｃｃｅｓｓ）と新しいコアネットワーク（５ＧＣ）との両方を含む。５ＧＣは、非アクティブモードと呼ばれる新しいユーザ機器（ＵＥ：ｕｓｅｒ  ｅｑｕｉｐｍｅｎｔ）状態の形でネットワークのスライス、改良されたＱｏＳ、並びにレイテンシ及びバッテリ最適化のための支援などのいくつかの新しい特徴を実現する。ロングタームエボリューション（ＬＴＥ：ｌｏｎｇ  ｔｅｒｍ  ｅｖｏｌｕｔｉｏｎ）でもこれらの特徴を提供するために、及びＬＴＥとＮＲとの間で高速の移動性を可能にするために、ＬＴＥ  ｅＮＢは、５ＧＣへの接続性をサポートする必要がある。５ＧＣに接続されたＬＴＥ  ｅＮＢ及びＮＲ  ｇＮＢはともに、次世代無線アクセスネットワーク（ＮＧ−ＲＡＮ：ｎｅｘｔ  ｇｅｎｅｒａｔｉｏｎ  ｒａｄｉｏ  ａｃｃｅｓｓ  ｎｅｔｗｏｒｋ）を構成する。
【０００４】
ｅＮＢが接続されたコアネットワーク（ＣＮ：ｃｏｒｅ  ｎｅｔｗｏｒｋ）タイプは、システム情報（ＳＩ：ｓｙｓｔｅｍ  ｉｎｆｏｒｍａｔｉｏｎ）においてブロードキャストされる。複数の公衆陸上移動体ネットワーク（ＰＬＭＮ：ｐｕｂｌｉｃ  ｌａｎｄ  ｍｏｂｉｌｅ  ｎｅｔｗｏｒｋ）が同じｅＮＢによってホストされる、無線アクセスネットワーク（ＲＡＮ：ｒａｄｉｏ  ａｃｃｅｓｓ  ｎｅｔｗｏｒｋ）共用のために、ＣＮタイプは、各ＰＬＭＮについて別個に判定される。各ＰＬＭＮについて、ＬＴＥ  ｅＮＢは、以下に接続され得る：（１）エボルブドパケットコア（ＥＰＣ：ｅｖｏｌｖｅｄ  ｐａｃｋｅｔ  ｃｏｒｅ）のみ、（２）ＥＰＣと５ＧＣとの両方、或いは（３）５ＧＣのみ。レガシ非アクセス階層（ＮＡＳ：ｎｏｎ−ａｃｃｅｓｓ  ｓｔｒａｔｕｍ）プロトコル（ＥＰＣ  ＮＡＳ）のみをサポートするレガシＵＥは、ＥＰＣのみに接続することができ、その一方で、新しいＵＥは、レガシＮＡＳプロトコルと新しいＮＡＳプロトコル（５ＧＣ  ＮＡＳ）との両方をサポートすることが予期され、ＥＰＣと５ＧＣとの両方に接続することができる。
【０００５】
レガシＵＥは、ＥＰＣ接続でセルからサービスを取得することのみ可能なので、機構は、５ＧＣのみに接続されたセルでレガシＵＥがキャンプすることを防ぐ必要がある。２つの起こり得る状況が存在する：（ａ）すべてのＰＬＭＮが５ＧＣのみに接続される、或いは、（ｂ）いくつかのＰＬＭＮがＥＰＣと５ＧＣとの両方又はＥＰＣのみに接続される一方で、いくつかのＰＬＭＮは５ＧＣのみに接続される。
【０００６】
第１のシナリオでは、ＳＩＢ１内の既存のｃｅｌｌＢａｒｒｅｄフラグは、レガシＵＥがそのセルにキャンプすることを防ぐために、使用され得る。このフラグは、すべてのＰＬＭＮに共通であり、したがって、第１のシナリオにおいてのみ使用され得る。新しいＵＥ（すなわち、５ＧＣ  ＮＡＳ対応のＵＥ）にフラグを無視させることによって、レガシＵＥはブロックされることになるが、新しいＵＥは終始許可される。新しいＵＥのためのフラグ機能を除外する現在のセルをもたらすために、対応する新しいフラグが、新しいＵＥのためのＳＩＢ１において使用され得る（たとえば、「ｃｅｌｌＢａｒｒｅｄ−５ＧＣ」）。
【０００７】
第２のシナリオでは、１つの可能な解決策は、ＳＩにおいて２つのＰＬＭＮリストをブロードキャストすることである：第１のリストは、ＥＰＣに接続されたＰＬＭＮを含む既存／レガシＰＬＭＮリストであり、第２のリストは、５ＧＣに接続されたＰＬＭＮを含む新しいＰＬＭＮリストである。ＥＰＣと５ＧＣとの両方に接続されたＰＬＭＮは、両方のリストに存在する。レガシＵＥは、レガシＰＬＭＮリストのみを読み取るので、レガシＵＥは、ＰＬＭＮ、及びＥＰＣに接続されたセルのみを選択することになる。
【発明の概要】
【０００８】
前述に基づいて、ネットワークノードが２つ以上のコアネットワークタイプに接続されるときに、ある種の課題が現在は存在する。たとえば、公衆陸上移動体ネットワーク（ＰＬＭＮ）情報に加えて、他のセルアクセス関連情報が、ロングタームエボリューション（ＬＴＥ）でシステム情報ブロック１（ＳＩＢ１）においてブロードキャストされる。ＳＩＢ１は、あらゆるセル再選択及びハンドオーバにおいて取得されるので、取得時間を最小限に抑えるために、そのサイズを可能な限り小さくすることが重要である。したがって、ＰＬＭＮ情報のサイズを小さくすることが、有益である。
【０００９】
本開示のある種の態様及びそれらの実施形態は、これらの又は他の課題に対する解決策を提供することができる。前述のように、２つの別個のＰＬＭＮリストが、エボルブドパケットコア（ＥＰＣ）と第５世代コア（５ＧＣ）との両方に接続されたＬＴＥセルについてのＳＩＢ１においてブロードキャストされ得る：第１のリストは、ＥＰＣに接続されたＰＬＭＮを含む既存の／レガシＰＬＭＮリストであり、第２のリストは、５ＧＣに接続されたＰＬＭＮを含むＰＬＭＮリストである。以下では、２つのＰＬＭＮリストは、それぞれ、ＥＰＣリスト及び５ＧＣ  ＰＬＭＮリストと呼ばれる。
【００１０】
特定の実施形態は、ＥＰＣと５ＧＣとの両方に接続されたＰＬＭＮの情報の複製を避けることによって、５ＧＣ  ＰＬＭＮリストのサイズを小さくする。両方のリストでそのＰＬＭＮについてのＰＬＭＮ情報を繰り返すのではなくて、ＰＬＭＮは、ＥＰＣ  ＰＬＭＮリストにのみ記載され、このエントリへの参照が、次いで、５ＧＣ  ＰＬＭＮリストに含まれる。
【００１１】
いくつかの実施形態では、ビットマップが、５ＧＣにも接続されたＥＰＣ  ＰＬＭＮリスト内のＰＬＭＮに印を付け得る。５ＧＣ  ＰＬＭＮリストは、５ＧＣのみに接続されたＰＬＭＮのみを含み得る。ほとんどのＰＬＭＮは、ＥＰＣと５ＧＣとの両方に接続される可能性があるので、特定の実施形態は、ＳＩＢ１においてＰＬＭＮ情報のサイズを有意に小さくすることができる。
【００１２】
いくつかの実施形態によれば、ＰＬＭＮ情報の効率的復号のためにワイヤレスデバイスによって実行される方法は、複数のセルについてのＰＬＭＮ情報を含むメッセージを受信することを含む。本方法はまた、セルの第１のグループについてのメッセージからＰＬＭＮ情報を判定することを含む。セルの第１のグループは、少なくとも１つのセルを含む。セルの第１のグループのうちの各セルは、第１のコアネットワークタイプと関連している。本方法は、加えて、セルの第２のグループについてのメッセージからＰＬＭＮ情報を判定することを含む。セルの第２のグループは、少なくとも１つのセルを含む。セルの第２のグループのうちの各セルは、第２のコアネットワークタイプと関連している。少なくとも１つのセルは、セルの第１のグループ及びセルの第２のグループの一部である。セルの第１のグループ及びセルの第２のグループのうちの少なくとも１つのセルについてのＰＬＭＮ情報が、１度だけ提供される。
【００１３】
特定の実施形態において、メッセージのＰＬＭＮ情報は、セルの第１のグループと関連する第１のリストとセルの第２のグループと関連する第２のリストとを含む。
【００１４】
特定の実施形態において、セルの第１のグループ及びセルの第２のグループの一部である少なくとも１つのセルについてのＰＬＭＮ情報を判定することは、ビットマップをセルの第１のグループのうちのセルに適用することを含む。ビットマップの各ビットは、セルの第１のグループ内のセルに対応する。ビットマップは、セルの第２のグループ内にもあるセルの第１のグループのうちの各セルを識別する。第２のコアネットワークタイプに関する少なくとも１つのセルについてのＰＬＭＮ情報は、第１のコアネットワークタイプに関する対応するセルについてのＰＬＭＮ情報に基づく。
【００１５】
特定の実施形態において、メッセージは、セルの第１のグループ内のセルごとのｃｅｌｌＲｅｓｅｒｖｅｄＦｏｒＯｐｅｒａｔｏｒＵｓｅフィールドがセルの第２のグループ内の対応するセルについて有効であるかを示すために、フラグを含む。
【００１６】
特定の実施形態において、セルの第２のグループについてのＰＬＭＮ情報を判定することは、セルの第１のグループと関連するセルの第２のグループのうちの各セルについて、セルの第１のグループにおけるＰＬＭＮ情報への参照を辿ることを含む。
【００１７】
特定の実施形態において、本方法は、セルの第１のグループのうちの各セルについてのＰＬＭＮ情報を含む第１のリストとセルの第２のグループのうちの各セルについてのＰＬＭＮ情報を含む第２のリストとを保持することをさらに含む。
【００１８】
特定の実施形態において、メッセージは、システム情報ブロックメッセージ又はＲＲＣメッセージでもよい。
【００１９】
特定の実施形態において、本方法はまた、ユーザデータを提供することと、ユーザデータをホストコンピュータに転送することとを含み得る。
【００２０】
いくつかの実施形態によれば、ＰＬＭＮ情報の効率的符号化のために基地局によって実行される方法は、複数のセルのうちの各セルと関連するコアネットワークタイプを判定することを含む。本方法はまた、複数のコアネットワークタイプと関連する少なくとも１つのセルを識別することを含む。本方法はさらに、メッセージをワイヤレスデバイスに送信することを含む。メッセージは、第１のコアネットワークタイプと関連する各セル及び第２のコアネットワークタイプのみと関連する各セルについてのＰＬＭＮ情報を含む。複数のコアネットワークタイプと関連する少なくとも１つのセルについての第２のコアネットワークタイプに関するＰＬＭＮ情報は、第１のコアネットワークタイプに関する少なくとも１つのセルと関連するＰＬＭＮ情報から導出され得る。
【００２１】
特定の実施形態において、メッセージのＰＬＭＮ情報は、第１のコアネットワークタイプと関連するセルの第１のリストと第２のコアネットワークタイプと関連するセルの第２のリストとを含む。
【００２２】
特定の実施形態において、本方法はまた、第１のコアネットワークタイプと関連するどのセルが第２のコアネットワークタイプとも関連するかを示すビットマップを生成することも含む。
【００２３】
特定の実施形態において、メッセージは、ビットマップを含む。いくつかの実施形態において、メッセージは、セルの第１のグループ内のセルごとのｃｅｌｌＲｅｓｅｒｖｅｄＦｏｒＯｐｅｒａｔｏｒＵｓｅフィールドがセルの第２のグループ内の対応するセルについて有効であるかを示すために、フラグを含む。
【００２４】
特定の実施形態において、本方法は、複数のコアネットワークタイプと関連する少なくとも１つのセルのそれぞれについて、第１のコアネットワークタイプに関する少なくとも１つのセルについてのＰＬＭＮ情報に基づいて第２のコアネットワークタイプに関する少なくとも１つのセルについてのＰＬＭＮ情報を判定するための参照を生成することをさらに含み得る。
【００２５】
いくつかの実施形態において、メッセージは、システム情報ブロックメッセージ又はＲＲＣメッセージでもよい。
【００２６】
コンピュータ可読プログラムコードを記憶する非一時的コンピュータ可読媒体を備えたコンピュータプログラム製品もまた開示され、コンピュータ可読プログラムコードは、前述のネットワークノードによって実行される方法のいずれかを実行するために処理回路によって実行されるとき、動作可能である。
【００２７】
ある種の実施形態は、次にＳＩＢ１取得時間を短くする５ＧＣに接続されたＬＴＥのためのＰＬＭＮ情報のサイズの縮小などの以下の技術的優位性のうちの１つ又は複数をもたらし得る。ＳＩＢ１は、セル（再）選択及びハンドオーバにおいて取得されるので、これは、次に、セル（再）選択及びハンドオーバ遅延を低減する。
【００２８】
開示される実施形態及びそれらの特徴及び優位性のより完全な理解のために、以下のような、添付の図面と併せて、以下の説明がここで参照される：
【図面の簡単な説明】
【００２９】
【図１】例示的ワイヤレスネットワークを示すブロック図である。
【図２】ある種の実施形態による、例示的ユーザ機器を示す図である。
【図３】ある種の実施形態による、公衆陸上移動体ネットワーク（ＰＬＭＮ）情報を復号するためのユーザ機器における例示的方法の流れ図である。
【図４】ある種の実施形態による、ＰＬＭＮ情報を符号化するためのネットワークノードにおける例示的方法の流れ図である。
【図５】ある種の実施形態による、ワイヤレスネットワーク内の２つの装置の概略的ブロック図である。
【図６】ある種の実施形態による、例示的仮想化環境を示す図である。
【図７】ある種の実施形態による、ホストコンピュータに中間ネットワークを介して接続された例示的通信ネットワークを示す図である。
【図８】ある種の実施形態による、部分的にワイヤレスな接続を介してユーザ機器と基地局を介して通信する例示的ホストコンピュータの図である。
【図９】ある種の実施形態による、実装される方法の流れ図である。
【図１０】ある種の実施形態による、通信システムにおいて実装される方法の流れ図である。
【図１１】ある種の実施形態による、通信システムにおいて実装される方法の流れ図である。
【図１２】ある種の実施形態による、通信システムにおいて実装される方法の流れ図である。
【発明を実施するための形態】
【００３０】
前述のように、ネットワークノードが２つ以上のコアネットワークタイプに接続されるとき、ある種の課題が現在存在する。たとえば、公衆陸上移動体ネットワーク（ＰＬＭＮ）情報に加えて、他のセルアクセス関連情報が、ロングタームエボリューション（ＬＴＥ）においてシステム情報ブロック１（ＳＩＢ１）でブロードキャストされる。ＳＩＢ１は、あらゆるセル再選択及びハンドオーバにおいて取得されるので、そのサイズを可能な限り小さくして取得時間を最小限に抑えることが重要である。したがって、ＰＬＭＮ情報のサイズを小さくすることは、有益である。
【００３１】
本開示のある種の態様及びそれらの実施形態は、これら又は他の課題に対する解決策を提供し得る。特定の実施形態が、添付の図面を参照して説明される。しかしながら、他の実施形態が、本明細書で開示される主題の範囲に含まれる。開示される主題は、本明細書に記載の実施形態のみに限定されるものとして解釈されるべきではなく、そうではなくて、これらの実施形態は、当業者に本主題の範囲を伝えるために例として提供される。
【００３２】
特定の実施形態は、エボルブドパケットコア（ＥＰＣ）と第５世代コアネットワーク（５ＧＣＮ：ｆｉｆｔｈ  ｇｅｎｅｒａｔｉｏｎ  ｃｏｒｅ  ｎｅｔｗｏｒｋ）との両方に接続されたＰＬＭＮのＰＬＭＮ  ＩＤを含むＰＬＭＮ特有の情報の複製を避けることによって、ＳＩＢ１内のＰＬＭＮ情報のサイズを小さくすることを含む。いくつかの実施形態において、ＰＬＭＮがＥＰＣと５ＧＣＮとの両方に接続された場合、ＰＬＭＮ情報（たとえば、ＰＬＭＮ  ＩＤ、ｃｅｌｌＲｅｓｅｒｖｅｄＦｏｒＯｐｅｒａｔｏｒＵｓｅ）が、ＥＰＣ  ＰＬＭＮリストに含まれ、このエントリへの参照が５ＧＣリストに含まれる。これらの実施形態では、ＰＬＭＮは、１度だけ記述され、２つの場所における同じ情報の複製を回避する。別の利益は、どのＰＬＭＮがＥＰＣと５ＧＣとの両方に接続されているかをユーザ機器（ＵＥ）が直接理解するということである。
【００３３】
特定の実施形態がどのようにＴＳ３６．３３１におけるＡＳＮ．１において符号化され得るかの一例が、以下に示される。ｍａｘＰＬＭＮ−ｒ１１（＝６）は、レガシＥＰＣ  ＰＬＭＮリストに含まれ得るエントリの最大数を指定する定数であることに留意されたい。本例は、同制限が５ＧＣ  ＰＬＭＮリストのためにも使用され得ると想定する。マップされたフィールドは、ＥＰＣ  ＰＬＭＮリストへの参照を含む。
2020535728.tif 000003
【００３４】
いくつかの実施形態において、ＳＩＢ１は、ＥＰＣ  ＰＬＭＮリスト内のＰＬＭＮが５ＧＣにも接続されるかどうかを示すために、別個のビットマップを含み得る。ビットマップの長さは、ＰＬＭＮの最大数と同じであり、各ビットは、ＥＰＣ  ＰＬＭＮリスト内のエントリに対応する。ビットがセットされた場合、そのとき、対応するＰＬＭＮは５ＧＣにも接続される。５ＧＣのみに接続されたＰＬＭＮは、ＥＰＣ  ＰＬＭＮリスト内に対応するエントリを有さないので、５ＧＣ  ＰＬＭＮリストが、５ＧＣのみに接続されたＰＬＭＮのために必要とされる。特定の実施形態がＴＳ３６．３３１内のＡＳＮ．１においてどのように符号化され得るかの一例が、以下に示される。前述のビットマップは、フィールドｐｌｍｎｓＣｏｎｎｅｃｔｅｄＴｏＥＰＣａｎｄ５ＧＣに含まれる。前述の例と類似して、５ＧＣ  ＰＬＭＮリスト内のエントリの最大数は、ＥＰＣ  ＰＬＭＮリストにおいてと同じであると想定されることにも留意されたい。
2020535728.tif 000004
【００３５】
いくつかの実施形態は、前述のビットマップと並行して付加的フラグを含む。フラグは、ＥＰＣから５ＧＣにＩＥ  ｃｅｌｌＲｅｓｅｒｖｅｄＦｏｒＯｐｅｒａｔｏｒＵｓｅをマップする。フィールドｃｅｌｌＲｅｓｅｒｖｅｄＦｏｒＯｐｅｒａｔｏｒＵｓｅは、ＰＬＭＮ情報の一部であり、ＥＰＣ  ＰＬＭＮリストにおいてＰＬＭＮごとに定義される。
【００３６】
フラグは、ＥＰＣ  ＰＬＭＮリスト内のＰＬＭＮごとのｃｅｌｌＲｅｓｅｒｖｅｄＦｏｒＯｐｅｒａｔｏｒＵｓｅフィールドが５ＧＣについても同様に有効であるかを示す。フラグがセットされた場合、次いで、ｃｅｌｌＲｅｓｅｒｖｅｄＦｏｒＯｐｅｒａｔｏｒＵｓｅフィールドの値は、マップされたＰＬＭＮ（すなわち、そのビットがビットマップにおいてセットされたＰＬＭＮ）についてと同じである。フラグがセットされていない場合、次いで、ｃｅｌｌＲｅｓｅｒｖｅｄＦｏｒＯｐｅｒａｔｏｒＵｓｅフィールドは、マップされたＰＬＭＮのそれぞれについて再定義される。
【００３７】
付加的フラグの１つの優位性は、ＥＰＣと５ＧＣとの両方に接続されたＰＬＭＮのＥＰＣ及び５ＧＣについてｃｅｌｌＲｅｓｅｒｖｅｄＦｏｒＯｐｅｒａｔｏｒＵｓｅが異なる値を有し得るということである。同発想は、ＥＰＣ  ＰＬＭＮのそれぞれについてセットされたＰＬＭＮ情報に含まれた他の情報要素（たとえば、追跡エリアコード（ＴＡＣ：Ｔｒａｃｋｉｎｇ  Ａｒｅａ  Ｃｏｄｅ））のために適用され得る。
【００３８】
特定の実施形態がＴＳ３６．３３１内のＡＳＮ．１においてどのように符号化され得るかの一例が、以下に示される。ｃｅｌｌＲｅｓｅｒｖｅｄＦｏｒＯｐｅｒａｔｏｒＵｓｅフィールドの５ＧＣに特有の値（ｃｅｌｌＲｅｓｅｒｖｅｄＦｏｒＯｐｅｒａｔｏｒＵｓｅ−５ＧＣで示された）は、リストｐｌｍｎ−ＤｅｌｔａＩｄｅｎｔｉｔｙＬｉｓｔ−５ＧＣにおいてＰＬＭＮごとにセットされた、情報要素ＰＬＭＮ−ＤｅｌｔａＩｄｅｎｔｉｔｙＩｎｆｏ−５ＧＣに含まれる。ｐｌｍｎ−ＤｅｌｔａＩｄｅｎｔｉｔｙＬｉｓｔ−５ＧＣ内の要素の数は、ビットマップにおいてセットされたビットの数と同じである（すなわち、各リスト要素は、マップされたＰＬＭＮに対応する）。ｐｌｍｎ−ＤｅｌｔａＩｄｅｎｔｉｔｙＬｉｓｔ−５ＧＣは、オプションであり、オプショナリティフラグは、前述の「付加的フラグ」として機能する。
2020535728.tif 000005
【００３９】
前述では、５ＧＣ  ＰＬＭＮ情報はＳＩＢ１に含まれると想定するが、他の実施形態において、ＰＬＭＮ情報は別のＳＩＢに含まれる。ＳＩＢ１が想定される理由は、ＳＩＢ１は、一般に、セルアクセス関連情報のために使用されるからである。たとえばＲＲＣ信号伝達において、ＥＰＣ及び／又は５ＧＣに接続されたＰＬＭＮを参照するために、各ＰＬＭＮは、インデックスを割り当てられ得る。インデックスは、様々な形で割り当てられ得る。
【００４０】
第１のオプションは、ＥＰＣ及び５ＧＣ  ＰＬＭＮのために別個のインデックスセットを使用する（たとえば、ＥＰＣ  ＰＬＭＮリストは１．．ｎのインデックスを付けられ、５ＧＣ  ＰＬＭＮリストは１．．ｍのインデックスを付けられる）。第１のオプションの欠点は、どのコアネットワークが参照されるかをインデックスは単独で指示しないということである。
【００４１】
第２のオプションは、ＥＰＣリスト内のＰＬＭＮに１．．ｎのインデックスを付け、５ＧＣリスト内のＰＬＭＮにｎ＋１．．ｎ＋ｍからインデックスを付ける。第２のオプションの優位性は、ＰＬＭＮインデックスを使用することによって単純にコアネットワークタイプを黙示的に指示することが可能であるということである。しかしながら、ビットマップが、ＥＰＣ  ＰＬＭＮリストから５ＧＣをサポートするＰＬＭＮを指示するために使用される場合、特定のコアネットワークは、インデックス１．．ｎについて指示されない。
【００４２】
第３のオプションは、ＥＰＣリスト内の（但し、５ＧＣ  ＰＬＭＮリストに記載されない）どのＰＬＭＮが５ＧＣへの接続をサポートするかをビットマップが指示する実施形態である。その場合、オプション２に従ってインデックスを付けるだけでは十分ではない。この実施形態では、インデックス作成は、以下のようになり得る：ＥＰＣリスト：１．．ｎ（５ＧＣもまたサポートするＥＰＣリスト内のＰＬＭＮ（ビットマップに指示された））と、：ｎ＋１．．ｎ＋ｋ（ｋは、５ＧＣもまたサポートするＥＰＣリスト内のＰＬＭＮの数である）と、５ＧＣリスト：（ｎ＋ｋ）＋１．．（ｎ＋ｋ）＋ｍ（ｍは、５ＧＣリスト内のＰＬＭＮの数である）。
【００４３】
第４のオプションは、５ＧＣをサポートするＰＬＭＮにのみインデックスを付ける。この場合、全ＥＰＣリストに割り当てられたインデックスは存在せず、インデックス作成は、その代わりに、以下に従うことになる：５ＧＣもまたサポートするＥＰＣリスト内のＰＬＭＮ（ビットマップにおいて指示される）：１．．ｋ（ｋは、５ＧＣもまたサポートするＥＰＣリスト内のＰＬＭＮの数である）と、５ＧＣリスト：ｋ＋１．．ｋ＋ｍ（ｍは、５ＧＣリスト内のＰＬＭＮの数である）。
【００４４】
共通のインデックスセット（たとえば、前述のオプション２〜４、特にオプション３及び４、のような）を使用することによる利益は、コアネットワークがＰＬＭＮインデックスによって黙示的に指示されるということである。このようにして、特定のインデックスが参照される（たとえば、ＲＲＣ信号伝達において）場合、特定のインデックスは、特定のＰＬＭＮだけでなく、特定のコアネットワークも指示する。コアネットワークタイプを別個に信号伝達することは、必要とされない。同じＰＬＭＮが、ＥＰＣと５ＧＣとの両方を介する接続をサポートする場合、同ＰＬＭＮは、２つの異なるインデックスを有し得る。共通のインデックスを有するこれらの実施形態は、本明細書で開示される他の部分が使用されない場合にも、適用され得る。
【００４５】
図１は、ある種の実施形態による例示的ワイヤレスネットワークを示す。ワイヤレスネットワークは、任意のタイプの通信、遠距離通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又はプロシージャに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００４６】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００４７】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００４８】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。
【００４９】
ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。
【００５０】
基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。
【００５１】
別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００５２】
図１において、ネットワークノード１６０は、処理回路１７０、デバイス可読媒体１８０、インターフェース１９０、補助機器１８４、電源１８６、電力回路１８７、及びアンテナ１６２を含む。図１の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。
【００５３】
タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００５４】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。
【００５５】
一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【００５６】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００５７】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。
【００５８】
たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【００５９】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００６０】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【００６１】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００６２】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。
【００６３】
無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャンネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００６４】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【００６５】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００６６】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００６７】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１０６の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。
【００６８】
たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００６９】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００７０】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。
【００７１】
一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。
【００７２】
ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。
【００７３】
さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。
【００７４】
他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末とも称され得る。
【００７５】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【００７６】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【００７７】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。
【００７８】
無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャンネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【００７９】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【００８０】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。
【００８１】
代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【００８２】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。
【００８３】
それらの実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【００８４】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【００８５】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合され得る。
【００８６】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。
【００８７】
ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【００８８】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【００８９】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。
【００９０】
電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【００９１】
本明細書に記載の主題は、任意の適切な構成要素を使用する任意の適切なタイプのシステムにおいて実装され得るが、本明細書で開示される実施形態は、図１に示された例示的ワイヤレスネットワークなど、ワイヤレスネットワークに関連して説明される。簡単にするために、図１のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００９２】
図２は、ある種の実施形態による、例示的ユーザ機器を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図２に示されているような、ＵＥ２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図２はＵＥであるが、本明細書で論じられる構成要素は、ＷＤに同等に適用可能であり、逆もまた同様である。
【００９３】
図２では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図２に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【００９４】
図２では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【００９５】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。
【００９６】
出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。
【００９７】
ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【００９８】
図２では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【００９９】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。
【０１００】
記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【０１０１】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【０１０２】
図２において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【０１０３】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【０１０４】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１０５】
図３は、ある種の実施形態による、ＰＬＭＮ情報を復号するためのユーザ機器における例示的方法の流れ図を示す。特定の実施形態において、図３の１つ又は複数のステップは、図１に関して記述されたワイヤレスデバイス１１０によって実行され得る。
【０１０６】
本方法は、ステップ３１１２で開始し、そこで、ワイヤレスデバイスは、複数のセルについてのＰＬＭＮ情報を含む第１のメッセージを受信する。いくつかの実施形態において、ＰＬＭＮ情報は、第１のコアネットワークタイプ（たとえば、ＥＰＣ）と関連するセルのＰＬＭＮ情報のリストと、第２のコアネットワークタイプ（たとえば、５ＧＣ）のみと関連するセルのＰＬＭＮ情報のリストとを含み得る。両方（たとえば、ＥＰＣ及び５ＧＣ）と関連するそれらのセルについて、ＰＬＭＮ情報は、第１のコアネットワークタイプのリストに関してのみ提供される。
【０１０７】
ステップ３１１４において、ワイヤレスデバイスは、第１のコアネットワークタイプと関連するセルの第１のグループのための第１のメッセージからＰＬＭＮ情報を判定する。たとえば、ワイヤレスデバイスは、ＥＰＣコアネットワークと関連するセルのグループについてのＰＬＭＮ情報を取得し得る。
【０１０８】
ステップ３１１６において、ワイヤレスデバイスは、セルの第２のグループのための第１のメッセージからＰＬＭＮ情報を判定する。セルの第２のグループは、少なくとも１つのセルを含む。セルの第２のグループのうちの各セルは、第２のコアネットワークタイプ（たとえば、５ＧＣ）と関連しており、少なくとも１つのセルは、セルの第１のグループ及びセルの第２のグループの一部である（たとえば、ＥＰＣ及び５ＧＣ）。
【０１０９】
セルの第１のグループ及びセルの第２のグループのうちの少なくとも１つのセルについてのＰＬＭＮ情報が、１度だけ提供される。すなわち、第１のコアネットワークタイプに関するセルについての、そしてさらに第２のコアネットワークタイプに関する同セルについてのＰＬＭＮ情報を提供するのではなくて、ＰＬＭＮは、第１のコアネットワークタイプに関して１度提供され、次いで、第２のコアネットワークタイプに関するセルについてのＰＬＭＮ情報を導出するために再び使用される。
【０１１０】
両方のコアネットワークタイプと関連するそれらのセルについてのＰＬＭＮ情報は、様々な異なる形で判定され得る。たとえば、ワイヤレスデバイスは、セルの第１のグループのうちのセルにビットマップを適用し得る。ビットがセットされた（たとえば、１）場合、次いで、そのセルについてのＰＬＭＮ情報が、第２のネットワークコアタイプに関するその対応するセルについて使用又はコピーされ得るように、ビットマップの各ビットは、セルの第１のグループ内のセルに対応する。
【０１１１】
もう１つの例として、第１のネットワークコアタイプと第２のネットワークコアタイプとの両方と関連する各セルについて、第１のメッセージは、第１のコアネットワークタイプと関連する対応するセルへの第２のコアネットワークタイプの参照を含み得る。たとえば、第２のネットワークコアタイプと関連するセルのリストにおいて、第１のネットワークコアタイプと関連するセルのリスト内のＰＬＭＮ情報への１つ又は複数の参照（複数のコアネットワークタイプと関連するセルの数に応じて）が存在し得る。特定の実施形態は、どのセルがどのグループの一部であるかを示すための前述の実施形態及び例のいずれかを含み得る。
【０１１２】
ステップ３１１８において、ワイヤレスデバイスは、セルの第１のグループのうちの各セルについてのＰＬＭＮ情報を含む第１のリストと、セルの第２のグループのうちの各セルについてのＰＬＭＮ情報を含む第２のリストとを保持し得る。
【０１１３】
修正、追加、又は省略が、図３の方法３１００に行われ得る。加えて、図３の方法の１つ又は複数のステップは、並行して又は任意の適切な順番で実行され得る。
【０１１４】
図４は、ある種の実施形態による、ＰＬＭＮ情報を符号化するためのネットワークノードにおける例示的方法の流れ図を示す。特定の実施形態において、図４の１つ又は複数のステップは、図１に関して記述されたネットワークノード１６０によって実行され得る。
【０１１５】
本方法は、ステップ４１１２で開始し、そこで、ネットワークノードは、複数のセルのうちの各セルと関連するコアネットワークタイプを判定する。たとえば、ネットワークノード１６０は、セルがＥＰＣコアネットワーク又は５ＧＣコアネットワークに接続されているかどうかを判定し得る。ネットワークノード１６０は、その他のセルのネットワークノード１６０から情報を受信し得る、ネットワークノード１６０は、それのコアネットワークから情報を受信し得る、ネットワークノード１６０は、他のセルと関連するコアネットワークタイプを供給され得る、或いは、ネットワークノード１６０は、任意の他の適切な方式でコアネットワークタイプを判定し得る。
【０１１６】
ステップ４１１４において、ネットワークノードは、複数のコアネットワークタイプと関連する少なくとも１つのセルを識別する。たとえば、ＥＰＣと及び５ＧＣと関連するセル。複数のコアネットワークタイプと関連していると識別されたそれぞれのセルは、他の／付加的コアネットワークタイプについてのＰＬＭＮ情報を導出するためのやり方とともに、１度だけＰＬＭＮ情報を提供され得る。
【０１１７】
たとえば、ステップ４１１６において、ネットワークノードは、どのセルが両方のコアネットワークタイプと関連しているかを示すために、ビットマップを生成することができる。もう１つの例として、ステップ４１１８において、ネットワークノードは、ワイヤレスデバイスがそこからＰＬＭＮ情報を判定することができる他の／付加的コアネットワークタイプへの参照を提供し得る。
【０１１８】
ステップ４１１８において、ネットワークノードは、メッセージをワイヤレスデバイスに送信する。メッセージは、第１のコアネットワークタイプと関連する各セル及び第２のコアネットワークタイプのみと関連する各セルについてのＰＬＭＮ情報を含む。複数のコアネットワークタイプと関連するそれらのセルについて、第２のコアネットワークタイプについてのＰＬＭＮ情報を繰り返すのではなくて、メッセージは、第２のコアネットワークタイプについてのＰＬＭＮ情報を導出するために使用することができる情報を含み得る。いくつかの実施形態において、第１のメッセージは、システム情報ブロックメッセージ（たとえば、ＳＩＢ１）でもよい。いくつかの実施形態において、第１のメッセージは、ＲＲＣメッセージでもよい。
【０１１９】
修正、追加、又は省略が、図４の方法４１００に行われ得る。加えて、図４の方法の１つ又は複数のステップは、並行して又は任意の適切な順番で実行され得る。
【０１２０】
図５は、ワイヤレスネットワーク（たとえば、図１に示されたワイヤレスネットワーク）内の２つの装置の概略的ブロック図を示す。これらの装置は、ワイヤレスデバイス及びネットワークノード（たとえば、図１に示されたワイヤレスデバイス１１０又はネットワークノード１６０）を含む。装置１６００及び１７００は、それぞれ、図３及び４を参照して説明される例示的方法と、さらに場合によっては、本明細書で開示される任意の他のプロセス又は方法とを実行するように動作可能である。図３及び４の方法は必ずしも装置１６００及び／又は装置１７００のみによって実行されないこともまた理解されたい。本方法の少なくともいくつかの動作は、１つ又は複数の他のエンティティによって実行され得る。
【０１２１】
仮想装置１６００及び１７００は、処理回路を備えることができ、その処理回路は、１つ又は複数のマイクロプロセッサ又はマイクロコントローラ、並びに、デジタル信号プロセッサ（ＤＳＰ）、専用デジタル論理などを含み得る他のデジタルハードウェアを含み得る。処理回路は、読取り専用メモリ（ＲＯＭ）、ランダムアクセスメモリ、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、いくつかの実施形態において、１つ又は複数の通信及び／又はデータ通信プロトコルを実行するためのプログラム命令並びに本明細書に記載の技法のうちの１つ又は複数を実行するための命令を含む。
【０１２２】
いくつかの実装形態において、処理回路は、本開示の１つ又は複数の実施形態による対応する機能を受信ユニット１６０２、判定ユニット１６０６、及び保持ユニット１６０８、及び装置１６００の任意の他の適切なユニットに実行させるために使用され得る。同様に、前述の処理回路は、本開示の１つ又は複数の実施形態による対応する機能を判定ユニット１７１２、識別ユニット１７１４、及び送信ユニット１７１６、及び装置１７００の任意の他の適切なユニットに実行させるために使用され得る。
【０１２３】
図５に示すように、装置１６００は、複数のセルについてのＰＬＭＮ情報を含む第１のメッセージを受信するように設定された受信ユニット１６０２を含む。いくつかの実施形態において、第１のメッセージのＰＬＭＮ情報は、セルの第１のグループと関連する第１のリストとセルの第２のグループと関連する第２のリストとを含む。いくつかの実施形態において、第１のメッセージは、セルの第１のグループ内のセルごとのｃｅｌｌＲｅｓｅｒｖｅｄＦｏｒＯｐｅｒａｔｏｒＵｓｅフィールドがセルの第２のグループ内の対応するセルについて有効であるかを示すためのフラグを含み得る。いくつかの実施形態において、第１のメッセージはシステム情報ブロックメッセージである。いくつかの実施形態において、第１のメッセージはＲＲＣメッセージである。
【０１２４】
装置１６００はまた、第１の及びセルの第２のグループのための第１のメッセージからＰＬＭＮ情報を判定するように設定された判定ユニット１６０６を含む。セルの第１のグループは、少なくとも１つのセルを含む。セルの第１のグループのうちの各セルは、第１のコアネットワークタイプと関連している。それらのうちのいくつかはまた、第２のコアネットワークタイプとも関連している。
【０１２５】
セルの第２のグループは、少なくとも１つのセルを含む。セルの第２のグループのうちの各セルは、第２のコアネットワークタイプと関連している。少なくとも１つのセルは、セルの第１のグループ及びセルの第２のグループの一部である。セルの第１のグループ及びセルの第２のグループのうちの少なくとも１つのセルについてのＰＬＭＮ情報は、１度だけ提供される。
【０１２６】
たとえば、セルの第１のグループに関して、いくつかの実施形態は、セルの第１のグループに適用されるビットマップを使用して、それらのセルのうちのどれが両方のネットワークコアタイプと関連しているかを識別することができる。次いで、識別された後は、それらのセルからのＰＬＭＮ情報は、セルの第２のグループのために再使用又はコピーされ得る。もう１つの例として、判定は、セルの第１のグループとも関連しているセルの第２のグループのうちの各セルについて、セルの第１のグループにおけるＰＬＭＮ情報への参照を辿ることによって行われ得る。
【０１２７】
装置１６００はまた、セルの第１のグループのうちの各セルについてのＰＬＭＮ情報を含む第１のリスト及びセルの第２のグループのうちの各セルについてのＰＬＭＮ情報を含む第２のリストを保持するように設定された保持ユニット１６０８を含む。ＰＬＭＮ情報の一部は、２つのリストにおいて複製され得る。
【０１２８】
図５に示すように、装置１７００は、複数のセルのうちの各セルと関連するコアネットワークタイプを判定するように設定された判定ユニット１７１２を含む。いくつかの実施形態において、判定ユニット１７１２はさらに、第１のコアネットワークタイプと関連するどのセルが第２のコアネットワークタイプとも関連するかを示すビットマップを生成するようにさらに設定され得る。いくつかの実施形態において、複数のコアネットワークタイプと関連する少なくとも１つのセルのそれぞれについて、判定ユニット１７１２は、第１のコアネットワークタイプに関する少なくとも１つのセルについてのＰＬＭＮ情報に基づいて第２のコアネットワークタイプに関する少なくとも１つのセルについてのＰＬＭＮ情報を判定するために使用され得る参照を生成するように設定され得る。
【０１２９】
装置１７００はまた、複数のコアネットワークタイプと関連する少なくとも１つのセルを識別するように設定された識別ユニット１７１４を含む。
【０１３０】
装置１７００はまた、ワイヤレスデバイスにメッセージを送信するように設定された送信ユニット１７１６を含む。メッセージは、第１のコアネットワークタイプと関連する各セル及び第２のコアネットワークタイプのみと関連する各セルについてのＰＬＭＮ情報を含み、そこで、複数のコアネットワークタイプと関連する少なくとも１つのセルのための第２のコアネットワークタイプに関するＰＬＭＮ情報が、第１のコアネットワークタイプに関する少なくとも１つのセルと関連するＰＬＭＮ情報から導出され得る。
【０１３１】
いくつかの実施形態において、第１のメッセージは、セルの第１のグループ内のセルごとのｃｅｌｌＲｅｓｅｒｖｅｄＦｏｒＯｐｅｒａｔｏｒＵｓｅフィールドがセルの第２のグループ内の対応するセルについて有効であるかを示すためのフラグを含み得る。いくつかの実施形態において、第１のメッセージは、システム情報ブロックメッセージである。いくつかの実施形態において、第１のメッセージは、ＲＲＣメッセージである。いくつかの実施形態において、第１のメッセージのＰＬＭＮ情報は、第１のコアネットワークタイプと関連するセルの第１のリスト及び第２のコアネットワークタイプと関連するセルの第２のリストを含む。
【０１３２】
図６は、一部の実施形態によって実装される機能が仮想化され得る仮想化環境３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１３３】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１３４】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【０１３５】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１３６】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１３７】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１３８】
図６に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１３９】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１４０】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１４１】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図１８のアプリケーション３２０に対応する。
【０１４２】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１４３】
一部の実施形態では、一部のシグナリングは、別法としてハードウェアノード３３０と無線ユニット３２００との間の通信のために使用され得る制御システム３２３０の使用の影響を受け得る。
【０１４４】
図７を参照すると、一実施形態によれば、通信システムは、無線アクセスネットワークなどのアクセスネットワーク４１１及びコアネットワーク４１４を備える、３ＧＰＰタイプのセルラネットワークなどの通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１４５】
通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１４６】
全体としての図７の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１４７】
図８は、ある種の実施形態による、部分的にワイヤレスな接続を介してユーザ機器と基地局を介して通信する例示的ホストコンピュータを示す。前段落で論じられたＵＥ、基地局及びホストコンピュータの一実施形態による例示的実装形態について、図２０を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１４８】
通信システム５００はさらに、通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図８には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、通信システムのコアネットワーク（図８に示さず）を通過及び／又は通信システム外部の１つ又は複数の中間ネットワークを通過してもよい。示された実施形態では、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１４９】
通信システム５００はさらに、すでに参照されたＵＥ５３０を含む。それのハードウェア５３５は、ＵＥ５３０が現在位置するカバレッジエリアにサービスする基地局とのワイヤレス接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５３８を含む。ＵＥ５３０はさらに、ＵＥ５３０に記憶された若しくはこれによってアクセス可能な及び処理回路５３８によって実行可能なソフトウェア５３１を備える。ソフトウェア５３１は、クライアントアプリケーション５３２を含む。クライアントアプリケーション５３２は、ホストコンピュータ５１０のサポートを有して、ＵＥ５３０を介して人間又は非人間ユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービス提供において、クライアントアプリケーション５３２は、ホストアプリケーション５１２から要求データを受信し、要求データに応答してユーザデータを提供することができる。ＯＴＴ接続５５０は、要求データ及びユーザデータの両方を転送することができる。クライアントアプリケーション５３２は、ユーザと相互作用して、それが提供するユーザデータを生成することができる。
【０１５０】
図８に示されたホストコンピュータ５１０と、基地局５２０と、ＵＥ５３０とは、それぞれ、図７のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図５に示されるようでもよく、独立して、周囲のネットワークトポロジは、図７のそれでもよい。
【０１５１】
図８において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１５２】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。より正確には、これらの実施形態の教示は、信号伝達オーバヘッドを改善する及びレイテンシを低減することができ、ユーザのためのより高速のインターネットアクセスを提供し得る。
【０１５３】
測定プロシージャは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定プロシージャ及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定プロシージャに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのようなプロシージャ及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１５４】
図９は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図９のみの図面の参照が、このセクションに含まれることになる。
【０１５５】
ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１５６】
図１０は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図１０の図面の参照のみが、このセクションに含まれることになる。
【０１５７】
本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１５８】
図１１は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図１１の図面の参照のみが、このセクションに含まれることになる。
【０１５９】
ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１６０】
図１２は、１つの実施形態による、通信システムにおいて実装された方法を示す流れ図である。通信システムは、図７及び８を参照して説明されるものでもよいホストコンピュータ、基地局及びＵＥを含む。本開示を簡単にするために、図１２の図面の参照のみが、このセクションに含まれることになる。
【０１６１】
ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１６２】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、メモリ、ロジックソリッドステート及び／又はディスクリートデバイス、それぞれのタスク、プロシージャ、計算、出力、及び／又は表示機能を実行するためのコンピュータプログラム又は命令などを含み得る。
【０１６３】
一般に、本明細書で使用されるすべての用語は、異なる意味が明確に与えられている及び／又はそれが使用されている文脈において暗示されている場合を除いて、関連技術分野におけるそれらの通常の意味に従って解釈されることになる。要素、装置、構成要素、手段、ステップなどへのすべての参照は、特に明示的な記載のない限り、要素、装置、構成要素、手段、ステップなどの少なくとも１つのインスタンスを参照するものとしてオープンに解釈されることになる。本明細書で開示されるいずれの方法のステップも、ステップが別のステップに続く若しくは先行するものとして明示的に記述されている及び／又はステップが別のステップに続く若しくは先行する必要があることが黙示されている場合を除いて、開示された正確な順番で実行される必要はない。本明細書で開示される実施形態のいずれかの任意の特徴は、適切であれば、任意の他の実施形態に適用され得る。同様に、実施形態のいずれかの任意の優位性は、任意の他の実施形態に適用され得、逆もまた同じである。含まれる実施形態の他の目的、特徴及び優位性が、以下の説明から明らかとなろう。
【０１６４】
修正、追加、又は省略が、本発明の範囲を逸脱することなく、本明細書で開示されるシステム及び装置に行われ得る。システム及び装置の構成要素は、統合又は分離され得る。さらに、システム及び装置の動作は、より多数の、より少数の、又は他の構成要素によって実行され得る。加えて、システム及び装置の動作は、ソフトウェア、ハードウェア、及び／又は他の論理を含む任意の適切な論理を使用して、実行され得る。本文書で使用される場合、「各」は、セットの各メンバ又はセットのサブセットの各メンバを指す。
【０１６５】
修正、追加、又は省略が、本発明の範囲を逸脱せずに、本明細書で開示される方法に行われ得る。本方法は、より多数の、より少数の、又は他のステップを含み得る。加えて、ステップは、任意の適切な順番で実行され得る。
【０１６６】
前述の説明は、多くの具体的な詳細を明記している。しかしながら、実施形態はこれらの特定の詳細なしに実施され得ることが理解される。他の場合には、本明細書を分かりにくくしないように、よく知られている回路、構造体及び技法は、詳しくは示されていない。当業者は、含まれている説明で、必要以上の実験なしに適切な機能性を実装することができることになる。
【０１６７】
「１つの実施形態」、「一実施形態」、「例示的実施形態」などの本明細書における参照は、記載された実施形態は特定の特徴、構造、又は特性を含み得るが、あらゆる実施形態がそれらの特定の特徴、構造、又は特性を必ずしも含まなくてもよいことを示す。さらに、そのような表現は、必ずしも同じ実施形態を参照していない。さらに、特定の特徴、構造、又は特性が一実施形態に関連して説明されるとき、明示的に記載されていてもいなくても、他の実施形態に関連してそのような特徴、構造、又は特性を実装することは当業者の知るところであると考えられる。
【０１６８】
本開示は、ある種の実施形態に関して説明されているが、その実施形態の改変形態及び置換が当業者には明らかとなろう。したがって、実施形態の前述の説明は、本開示を制約しない。他の変更形態、置換、及び改変形態が、以下の特許請求の範囲によって定義されるような、本開示の趣旨及び範囲を逸脱せずに可能である。
【０１６９】
以下の略語のうちの少なくともいくつかが、本開示において使用され得る。略語の間に不一致がある場合、それが前記でどのように使用されているかを優先すべきである。以下で複数回リストに記載される場合、第１のリストはいずれの後続のリストよりも優先されるべきである。
１ｘＲＴＴ          ＣＤＭＡ２０００  １ｘ無線送信技術
３ＧＰＰ            第３世代パートナーシッププロジェクト
５Ｇ                第５世代
ＡＢＳ              オールモストブランクサブフレーム
ＡＲＱ              自動リピート要求
ＡＷＧＮ            加算性白色ガウス雑音
ＢＣＣＨ            ブロードキャスト制御チャネル
ＢＣＨ              ブロードキャストチャネル
ＣＡ                キャリアアグリゲーション
ＣＣ                キャリア構成要素
ＣＣＣＨＳＤＵ      共通の制御チャネルＳＤＵ
ＣＤＭＡ            コード分割多重アクセス
ＣＧＩ              セルグローバル識別子
ＣＩＲ              チャネルインパルス応答
ＣＰ                サイクリックプレフィックス
ＣＰＩＣＨ          共通パイロットチャネル
ＣＱＩ              チャネル品質情報
Ｃ−ＲＮＴＩ        セルＲＮＴＩ
ＣＳＩ              チャネル状態情報
ＤＣＣＨ            専用制御チャネル
ＤＬ                ダウンリンク
ＤＭ                復調
ＤＭＲＳ            復調用参照信号
ＤＲＸ              間欠受信
ＤＴＸ              間欠送信
ＤＴＣＨ            専用トラフィックチャネル
ＤＵＴ              被試験デバイス
Ｅ−ＣＩＤ          拡張Ｃｅｌｌ  ＩＤ（位置決め方法）
Ｅ−ＳＭＬＣ        エボルブドサービングモバイルロケーションセンタ
ＥＣＧＩ            エボルブドＣＧＩ
ｅＮＢ              Ｅ−ＵＴＲＡＮ  ノードＢ
ｅＰＤＣＣＨ        拡張物理ダウンリンク制御チャネル
Ｅ−ＳＭＬＣ        エボルブドサービングモバイルロケーションセンタ
Ｅ−ＵＴＲＡ        エボルブドＵＴＲＡ
Ｅ−ＵＴＲＡＮ      エボルブドＵＴＲＡＮ
ＦＤＤ              周波数分割複信
ＧＥＲＡＮ          ＧＳＭ  ＥＤＧＥ無線アクセスネットワーク
ｇＮＢ              ＮＲにおける基地局
ＧＮＳＳ            グローバル航行衛星システム
ＧＳＭ              グローバルシステムフォーモバイルコミュニケーション
ＨＡＲＱ            ハイブリッド自動リピート要求
ＨＯ                ハンドオーバ
ＨＳＰＡ            高速パケットアクセス
ＨＲＰＤ            高速パケットデータ
ＬＯＳ              見通し線
ＬＰＰ              ＬＴＥ位置決めプロトコル
ＬＴＥ              ロングタームエボリューション
ＭＡＣ              メディアアクセスコントロール
ＭＢＭＳ            マルチメディアブロードキャストマルチキャストサービス
ＭＢＳＦＮ          マルチメディアブロードキャストマルチキャストサービス単一周波数ネットワーク
ＭＢＳＦＮ  ＡＢＳ    ＭＢＳＦＮオールモストブランクサブフレーム
ＭＤＴ              ドライブテストの最小化
ＭＩＢ              マスタ情報ブロック
ＭＭＥ              移動性管理エンティティ
ＭＳＣ              モバイル交換局
ＮＰＤＣＣＨ        狭帯域物理ダウンリンク制御チャネル
ＮＲ                新無線
ＯＣＮＧ            ＯＦＤＭＡチャネル雑音発生器
ＯＦＤＭ            直交周波数分割多重
ＯＦＤＭＡ          直交周波数分割多重アクセス
ＯＳＳ              オペレーションサポートシステム
ＯＴＤＯＡ          到着の観測時間差
Ｏ＆Ｍ              運用及び保守
ＰＢＣＨ            物理ブロードキャストチャネル
Ｐ−ＣＣＰＣＨ      プライマリ共通コントロール物理チャネル
ＰＣｅｌｌ          プライマリセル
ＰＣＦＩＣＨ        物理コントロールフォーマットインジケータチャネル
ＰＤＣＣＨ          物理ダウンリンク制御チャネル
ＰＤＰ              プロファイル遅延プロファイル
ＰＤＳＣＨ          物理ダウンリンク共有チャネル
ＰＧＷ              パケットゲートウェイ
ＰＨＩＣＨ          物理ハイブリッド自動再送要求指示チャネル
ＰＬＭＮ            公衆陸上移動体ネットワーク
ＰＭＩ              プリコーダマトリクスインジケータ
ＰＲＡＣＨ          物理ランダムアクセスチャネル
ＰＲＳ              位置決め参照信号
ＰＳＳ              プライマリ同期信号
ＰＵＣＣＨ          物理アップリンク制御チャネル
ＰＵＳＣＨ          物理アップリンク共有チャネル
ＲＡＣＨ            ランダムアクセスチャネル
ＱＡＭ              直交振幅変調
ＲＡＮ              無線アクセスネットワーク
ＲＡＴ              無線アクセス技術
ＲＬＭ              無線リンク管理
ＲＮＣ              無線ネットワークコントローラ
ＲＮＴＩ            無線ネットワーク一時識別子
ＲＲＣ              無線リソースコントロール
ＲＲＭ              無線リソース管理
ＲＳ                参照信号
ＲＳＣＰ            受信信号コード電力
ＲＳＲＰ            参照シンボル受信電力又は参照信号受信電力
ＲＳＲＱ            参照信号受信品質又は参照シンボル受信品質
ＲＳＳＩ            受信信号強度インジケータ
ＲＳＴＤ            参照信号時間差
ＳＣＨ              同期チャネル
ＳＣｅｌｌ          ２次電池
ＳＤＵ              サービスデータユニット
ＳＦＮ              システムフレーム番号
ＳＧＷ              サービングゲートウェイ
ＳＩ                システム情報
ＳＩＢ              システム情報ブロック
ＳＮＲ              信号対雑音比
ＳＯＮ              自己最適化ネットワーク
ＳＳ                同期信号
ＳＳＳ              ２次同期信号
ＴＤＤ              時分割複信
ＴＤＯＡ            到達時間差
ＴＯＡ              到達時間
ＴＳＳ              ３次同期信号
ＴＴＩ              送信時間間隔
ＵＥ                ユーザ機器
ＵＬ                アップリンク
ＵＭＴＳ            ユニバーサルモバイル通信システム
ＵＳＩＭ            汎用加入者ＩＤモジュール
ＵＴＤＯＡ          アップリンク到達時間差
ＵＴＲＡ            ユニバーサル地上無線アクセス
ＵＴＲＡＮ          ユニバーサル地上無線アクセスネットワーク
ＷＣＤＭＡ          ワイドＣＤＭＡ
ＷＬＡＮ            ワイドローカルエリアネットワーク
【図１】
2020535728.tif 000006
【図２】
2020535728.tif 000007
【図３】
2020535728.tif 000008
【図４】
2020535728.tif 000009
【図５】
2020535728.tif 000010
【図６】
2020535728.tif 000011
【図７】
2020535728.tif 000012
【図８】
2020535728.tif 000013
【図９】
2020535728.tif 000014
【図１０】
2020535728.tif 000015
【図１１】
2020535728.tif 000016
【図１２】
2020535728.tif 000017
【国際調査報告】
2020535728.tif 000018
2020535728.tif 000019
2020535728.tif 000020